(57)【要約】【課題】ページがめくりやすくまた製本としても四辺の端部平面が均一な品質を得る。【解決手段】写真アルバム１０は、複数のプリント写真１２に綴じ孔１８を穿孔してバインダ１４で綴じている。綴じ孔１８を矩形の角孔とし、バインダ１４のリング１４ｃの内径を２Ｒ、一辺１２ａから綴じ孔１８までの長さをＥ、一辺１２ａの長さをＬ、写真アルバム１０の厚みを２Ｔとしたときに、４Ｌ／１００＞２（Ｒ−E)＞L／１００  （単位：ｍｍ）及び４Ｌ／１００＞2Ｒ−２Ｔ−E＞０  （単位：ｍｍ）の二式を満足するように綴じ孔１８を穿孔する。【選択図】        図９
2006015615.tif 000002
【特許請求の範囲】
【請求項１】
矩形サイズのプリント写真の一辺に沿って複数の綴じ孔を並べて設け、そのプリント写真を複数枚重ねて、重なり合う綴じ孔にバインダのリングを通して綴じた写真アルバムにおいて、
前記綴じ孔を角孔とし、前記リングの内径を２Ｒ、前記一辺から綴じ孔までの長さをＥ、前記一辺の長さをＬ、前記写真アルバムの厚みを２Ｔとしたときに、
４Ｌ／１００＞２（Ｒ−E)＞L／１００  （単位：ｍｍ）
及び
４Ｌ／１００＞2Ｒ−２Ｔ−E＞０  （単位：ｍｍ）
の式を満足するように綴じ孔を穿孔したことを特徴とする写真アルバム。
【請求項２】
前記プリント写真の記録面に、メモ書きするための余白を、綴じ孔を穿孔する余白とは別に設けことを特徴とする請求項１記載の写真アルバム。
【請求項３】
前記プリント写真に、前記綴じ孔を穿孔するための穿孔用余白と、前記穿孔用余白に対して画像を記録する記録エリアを挟んで対向する余白とを設け、前記穿孔用余白と余白とは幅が異なっていることを特徴とする請求項１又は２記載の写真アルバム。
【請求項４】
前記プリント写真の記録エリアには、予め決めたレイアウトに従って複数の画像が記録されていることを特徴とする請求項１ないし３いずれか記載の写真アルバム。
【請求項５】
前記複数枚のプリント写真の上・下に、表紙及び裏紙を重ねて綴じるとともに、前記表紙及び裏紙との間に、メモ用紙、情報印刷物、及び袋状のシートのうちの何れかを重ねて綴じたことを特徴とする請求項１ないし４いずれか記載の写真アルバム。
【請求項６】
前記複数枚のプリント写真の上・下に、表紙及び裏紙を重ねて綴じるとともに、前記表紙を透明なプラスチックシートにし、前記表紙を通して次ページのプリント写真の画像を観察することができるようにしたことを特徴とする請求項１ないし５いずれか記載の写真アルバム。
【請求項７】
前記複数枚のプリント写真の上・下に、表紙及び裏紙を重ねて綴じるとともに、前記表紙に開口を設け、前記開口を通して次ページのプリント写真の画像を観察することができるようにしたことを特徴とする請求項１ないし５いずれか記載の写真アルバム。
【請求項８】
複数枚のプリント写真を重ねてその一辺を綴じて製本とした写真アルバムの製作方法において、
帯状に搬送される印画紙のうちの予め決められた画像記録エリアの一辺に沿って余白ができるように、画像記録エリアに画像を記録して送り出す記録工程と、画像記録後の印画紙を画像記録エリアに対応したサイズごとにシート状に切断してプリント写真として送り出す切断工程と、前記プリント写真を位置決めした後に、前記余白に前記一辺と平行に並ぶように複数の綴じ孔を穿孔して送り出す穿孔工程と、穿孔後のプリント写真を１件分ごとに順次に重ねて集積体を作り、前記集積体を位置決めしてから前記綴じ孔にバインダを取り付けて前記集積体の一辺を綴じるバインド工程とから構成されていることを特徴とする写真アルバムの製作方法。
【請求項９】
印画紙に画像を記録してプリント写真として送り出す記録工程と、前記プリント写真を位置決めした後に、そのプリント写真に一辺に沿って複数の綴じ孔を穿孔して送り出す穿孔工程と、穿孔後のプリント写真を１件分ごとに順次に重ねた集積体を位置決めし、重なり合った綴じ孔にバインダを取り付けて前記集積体の一辺を綴じるバインド工程とで構成した写真アルバムの製作方法であって、
前記穿孔工程よりも以前で、前記プリント写真のうちの前記穿孔する範囲に、前記１件ごとに付与する識別情報又は穿孔位置を示すマークを記録するようにしたことを特徴とする写真アルバムの製作方法。
【請求項１０】
印画紙に画像を記録したプリント写真を複数枚重ねてその一辺を綴じて製本とした写真アルバムに使用されるプリント写真のプリント方法において、
一辺に沿って綴じ孔を穿孔するための余白部と、前記余白部以外の最大記録エリアとを有し、前記最大記録エリアに、前記一辺を除く３辺に余白が生じないように画像を記録することを特徴とするプリント写真のプリント方法。
【請求項１１】
印画紙に画像を記録したプリント写真を複数枚重ねてその一辺を綴じて製本とした写真アルバムに使用されるプリント写真のプリント方法において、
前記複数枚のプリント写真は、一辺に沿って綴じ孔を穿孔するための穿孔用余白部と、前記穿孔用余白部以外の最大記録エリアとを有し、前記一辺を除く３辺に余白ができるように、元画像のアスペクト比を保持して且つ元画像の欠けがないように画像を前記最大記録エリアに記録することを特徴とするプリント写真のプリント方法。
【発明の詳細な説明】
【技術分野】
【０００１】
複数のプリント写真を綴じて製本とした写真アルバム、及びその製作方法、並びに写真アルバムに使用されるプリント写真のプリント方法に関するものである。
【背景技術】
【０００２】
従来、複数のプリント写真を綴じた写真アルバムが知られている（特許文献１）。この写真アルバムは、一辺に余白ができるように画像を印画紙にプリントしたプリント写真を複数枚重ね合わせ、重ね合わせたプリント写真の全ての余白にパンチで一斉に穿孔をし、穿孔した孔を利用してバインダで綴じた形態となっている。
【０００３】
バインダとしては、一つの穴に一本の線がらせん状に貫通することで綴じるスパイラルリングや、一つの穴に二本の線が貫通することで綴じるダブルリング、さらには、差し替え可能なようにロッドの抜き差しによりリングが開閉自在となっているプラスチックリングなどが知られており、このようなバインダを使用することで、プリント写真の３６０度の見開きが可能となる。
【０００４】
【特許文献１】特開２００２−４９１０６号公報（段落番号［００１８］・図４）
【発明の開示】
【発明が解決しようとする課題】
【０００５】
しかしながら、パンチとしては、孔形状、孔ピッチ、端から孔までの距離が予め決められた汎用のものを、またバインダとしても径、リングピッチが予め決められものを使用していた。このため、プリント写真を綴じたときに、孔とリングとの関係により、各々のプリント写真が自由に移動することができる範囲が狭くなるおそれがあった。このようになると、開いたときに左右のプリント写真の端同士が重なってページをめくり難いという不都合が生じる。
【０００６】
また、電子カメラやカメラ付き携帯電話で撮影した画像や写真フイルムに記録した画像は、アスペクト比（縦横比）が異なる場合がある。これら画像を、元画像のアスペクト比を維持してプリントすると、プリント写真ごとで余白が不均一となってしまい、写真アルバムとしては体裁が悪い。
【０００７】
また、写真アルバムを製作するには、穿孔作業やバインド作業など手間がかかる。また、手作業では、画像の天地を逆にして綴じてしまう不都合が生じるおそれがある。
【０００８】
本発明では、なめらかにページをめくることができるように工夫した写真アルバム、及び、簡便に作成することができる写真アルバムの製作方法を提供することを目的とする。また、体裁の良い写真アルバムとなるようにプリントするプリント方法を提供することを第２の目的とする。
【課題を解決するための手段】
【０００９】
本発明の写真アルバムでは、綴じ孔を矩形の角孔とし、バインダのリングの内径を２Ｒ、一辺から綴じ孔までの長さをＥ、一辺の長さをＬ、写真アルバムの厚みを２Ｔとしたときに、
４Ｌ／１００＞２（Ｒ−E)＞L／１００  （単位：ｍｍ）
及び
４Ｌ／１００＞2Ｒ−２Ｔ−E＞０  （単位：ｍｍ）
の式を満足するように綴じ孔を穿孔するようにしたものである。
【００１０】
プリント写真には、綴じ孔を穿孔するための余白と、それ以外の最大記録エリアとを有する。最大記録エリアには、画像が記録されるとともに、メモ書きするための余白を設けてもよい。また、穿孔用余白と、穿孔用余白に対して記録エリアを挟んで対向する余白とを設け、穿孔用余白と余白との幅を変えることで、画像の天地を逆にしてプリント写真を綴じるミスを防ぐことができる。
【００１１】
また、プリント写真の記録エリアに、予め決めたレイアウトに従って複数の画像を記録してもよい。さらに、複数枚のプリント写真の上・下に、表紙及び裏紙を重ねて綴じてもよい。さらにまた、表紙及び裏紙との間に、メモ用紙、情報印刷物、及び袋状のシートのうちの何れかを重ねて綴じてもよい。
【００１２】
表紙としては、透明なプラスチックシートにしてもよい。これによれば、表紙を通して次ページのプリント写真の画像を観察することができるため装飾効果が向上する。また、表紙に開口を設け、開口を通して次ページのプリント写真の画像を観察するようにしてもよい。
【００１３】
写真アルバムの製作方法では、帯状に搬送される印画紙のうちの予め決められた画像記録エリアの一辺に沿って余白ができるように、画像記録エリアに画像を記録して送り出す記録工程と、画像記録後の印画紙を画像記録エリアに対応したサイズごとにシート状に切断してプリント写真として送り出す切断工程と、前記プリント写真を位置決めした後に、前記余白に前記一辺と平行に並ぶように複数の綴じ孔を穿孔して送り出す穿孔工程と、穿孔後のプリント写真を１件分ごとに順次に重ねて集積体を作り、前記集積体を位置決めしてから前記綴じ孔にバインダを取り付けて前記集積体の一辺を綴じるバインド工程とで構成するようにしたものである。
【００１４】
穿孔する部分は、写真アルバムとなったときに残らないので、穿孔工程よりも以前で、穿孔する範囲に、１件ごとに付与する識別情報又は穿孔位置を示すマークを記録するようにしてもよい。
【００１５】
また、写真アルバムに使用されるプリント写真のプリント方法の発明では、全てにおいて同じ位置に画像を記録するのが体裁がよい。そこで、一辺に沿って綴じ孔を穿孔するための穿孔用余白部以外の最大記録エリアに、一辺を除く３辺に余白が生じないように画像を記録するようにしたものである。また、一辺を除く３辺にも余白ができるように、元画像のアスペクト比を保持して且つ元画像の欠けがないように画像を最大記録エリアに記録してもよい。
【発明の効果】
【００１６】
本発明の写真アルバムでは、段落［０００９］に記載する二式を満足するように綴じ孔を穿孔することで、ページがめくり易く、また、製本としても、四辺の端部平面が均一な品質が得られる。また、本発明の写真アルバムの連続穿孔方法を用いれば、作業効率の向上が図れる。さらに、予め穿孔する範囲を余白として残りの最大記録エリアに余白を設けて又は余白なしで画像を記録するプリント方法では、写真アルバムに綴じるプリント写真の画像が一定に記録されるため、アスペクト比の異なる元画像を体裁が良く鑑賞することができる。
【発明を実施するための最良の形態】
【００１７】
写真アルバム１０は、図１に示すように、表紙１１、複数枚のプリント写真１２、及び裏紙１３を重ねてバインダ１４で左綴じ（左開き）となるように綴じたコイル製本の形態となっている。表紙１１、プリント写真１２、及び、裏紙１３は、同じサイズとなっている。このサイズは、一般的にプリント写真で規定されているサイズ、例えばＬサイズ（縦８９ｃｍ，横１２６ｃｍ）に合わせたサイズとするのが好適である。表紙１１や裏紙１３は、プリント写真１２よりも厚手のものを使用するのが望ましい。例えば、プリント写真１２の厚みを０．２ｍｍにした場合には、０．３５〜０．５ｍｍの厚みのものを用いるのが好適である。また、表紙１１の表面には、文字や画像を印刷しておくのが体裁がよい。なお、表紙１１を透明なプラスチックシートにしてもよい。これによれば、次ページのプリント写真１２の画像を、表紙１１を通して見ることが出来るので、表紙１に印刷する画像を省略することができる。さらに、表紙１１に開口を設け、開口から次ページのプリント写真の画像を観察するようにしてもよい。この場合、開口としては、複数個設けてもよい。
【００１８】
また、表紙１１と裏紙１３との間の任意の位置に、メモ用紙、情報印刷物、袋状のシートなどの何れかをプリント写真１２と一緒に綴じるようにしてもよい。
【００１９】
複数のプリント写真１２の記録面は、穿孔用の左側の余白１６ａと、残りの最大画像記録エリア１５とで構成されている。画像は最大画像記録エリア１５の中に記録され、最大画像記録エリア１５と実際に画像を記録した範囲１５ａとの間には、上側の余白１６ｂ、下側の余白１６ｃ、及び右側の余白１６ｄが設けられている。左側の余白１６ａは、右側の余白１６ｄに対して横方向の長さが長くなっている。左側の余白１６ａを右側に対して横方向の長さが同じでない余白にすることで、プリント写真１２の重ね合わせる向きの間違いを簡便に知ることができる。なお、最大画像記録エリア１５と実際に画像を記録した範囲１５ａとの間に余白が出来ないようプリントしてもよい。
【００２０】
この左側の余白１６ａには、複数の綴じ孔１８が縦方向に一定ピッチで並んで穿孔されている。勿論、表紙１１及び裏紙１３にも同じ位置に複数の綴じ孔１８が穿孔されている。本実施形態では、綴じ孔１８を、何れかの辺が一辺１２ａに平行となる姿勢の矩形な角孔としている。
【００２１】
バインダ１４は、綴じ孔１８が一致するように表紙１１、複数のプリント写真１２、及び裏紙１３を重ねて、一致した綴じ孔１８の列に、綴じ孔１８に対応した個数のリング状の係止片１４ａを各々挿入することで表紙１１、複数のプリント写真１２、及び裏紙１３を綴じる綴じ具である。バインダ１４としては、一つの綴じ孔１８に二本の線が貫通することで綴じるダブルリング式のものを使用している。ダブルリング方式のバインダ１４は、一本の針金を略櫛歯状に折り曲げ成形して作られている。櫛歯は、針金をＵ字状に折り曲げた係止片１４ａと、複数の係止片１４ａの基部を連結する基端部１４ｂとで構成され、各係止片１４ａを各綴じ孔１８に挿入した後に、係止片１４ａを湾曲させながら基端部１４ｂに向けて接近するように折り曲げて閉じる。これにより、各綴じ孔１８に対して櫛歯がリング状に挿入されるため、各ページを３６０度の見開きが可能となる。なお、バインダ１４としては、一つの孔１８に一本の線がらせん状に貫通することで綴じるスパイラルリングや、さらには、プリント写真１２の差し替えが可能なようにロッドの抜き差しによりリングが開閉自在となっているプラスチックリングなどを用いても良い。
【００２２】
図２は、写真アルバム１０の製作手順を示すものである。写真アルバム１０は、写真用カメラで撮影した画像、電子カメラ（カメラ付き携帯電話を含む）で撮像した画像を印画紙に記録したプリント写真を利用する。写真用カメラは、撮影した画像を写真フイルムに記録する。撮影済みの写真フイルムは現像所に提出される。現像所では、１件分の管理を行うために、識別番号を付与したＤＰ袋に受け付けた写真フイルムを入れて管理する。その写真フイルムに対しては、現像機２１にセットされ、現像処理が施されて現像済みフイルムとされる。出来上がった現像済みフイルムは、プリンタ２２にセットされる。プリンタ２２は、現像済みフイルムの各コマの画像を順番に印画紙に記録してプリント写真１２を作る。この時、後工程で印画紙の記録面に穿孔することになる余白１６ａを残した最大画像記録エリア１５の内に画像を記録する。
【００２３】
電子カメラで撮像した画像は、メモリカードなどの媒体を通じてプリンタ２２に取り込まれる。プリンタ２２は、１件分の画像データ群に対して識別番号を付与して管理するとともに、１件分の画像を順次に印画紙に記録してプリント写真１２を作成する。
【００２４】
また、現像所では、インターネットを通じて顧客からアップロードされた画像をプリントするインターネットプリントサービスも行っている。インターネットを通じて画像を受け取る場合には、顧客毎にファイルサーバーに画像をアップロードさせておき、顧客から注文を受けることで指定された画像をファイルサーバーからダウンロードする方法や、顧客の注文メールに添付された画像を受け取る方法、また、現像所やフイルムメーカのホームページを通じて画像をダウンロードする方法などがある。
【００２５】
プリンタ２２で作成したプリント写真１２は、１件ごとに重ねられて写真集積体２０とされる。この順番は、コマ番号順、ファイル名順、さらにはプリント指定順のいずれの順番となる。なお、プリント写真１２の裏には、識別番号やコマ番号（ファイル名）、及び、焼き付け時の画像処理の補正データ等が記録されている。このうち識別番号を見れば１件分のプリント写真１２を纏めることができる。
【００２６】
次に、写真集積体２０の上に表紙１１を、また下には裏紙１３をそれぞれセットし、アルバム集積体２３とする。その後、アルバム集積体２３を穿孔装置２４にセットして、一辺の余白１６ａに綴じ孔１８を穿孔する。この綴じ孔１８は矩形の角孔となっている。そして、穿孔後には、バインド具２５にセットして、複数の綴じ孔１８をバインダ１４で綴じる。これにより、写真アルバム１０が完成する。なお、穿孔とバインドとを同じ装置で行うようにしてもよい。
【００２７】
上記に説明したプリンタ２２では、帯状に引き出した印画紙の画像記録エリアに画像を記録し、裁断した後、１枚ずつのシートの余白部に穿孔する工程までを連続で行うこともできる。さらには、バインド機構をプリンタに設けても良い。この場合には、穿孔したプリント写真を１件ごとに集積してバインダで綴じるバインド機構を最後に設ければよい。なお、プリント写真を集積する集積機構を設け、集積したプリント写真をいっぺんに穿孔する穿孔機構を設けても良い。
【００２８】
出来上がった写真アルバム１０は、図３に示すようにラック３０に乗せると、１８０度開いても平らに置ける。このラックは、写真アルバムを１８０度開いてセットしたときに下縁を支える下縁支持部３１と、開いた両側のプリント写真１２を支える一対の支持部３２，３３とがあり、一対の支持部３２，３３との間にバインダ１４を逃がすスペースを持っている。
【００２９】
プリンタ２２では、たとえばＬサイズ幅の印画紙に対して、後工程で裁断された時の余白１６ａ以外の残りの最大画像記録エリア１５の中に画像を記録する。このプリント方法としては、最大画像記録エリア１５に、画像の縦横比に応じて、余白１６ｂ〜１６ｄをできるだけ少なくする方法で、あるいは、画像範囲１５ａの周りに余白１６ｂ〜１６ｄを設ける方法でプリントする「内接プリント方式」がある。図４では、縦横比が３：４のプリント写真に、２：３の縦横比の画像、及び、３：４縦横比の画像をプリントする範囲を示しており、灰色で示した範囲が実際に画像を記録した画像エリアである。図４に記載した「１例」と「２例」とが画像に欠けがなくかつ画像の周囲に余白を設けてプリントした例であり、また、図４に記載した「３例」と「４例」とが画像の欠けがないように画像を最大限に拡大してプリントした例である。この例の場合、図４の「４例」に示した画像エリアが最大画像記録エリアとなる。なお、左側以外の余白は、メモ書き用として使用することができる。
【００３０】
【表１】
2006015615.tif 000003
【００３１】
表１は、図４で説明した「１例」〜「４例」によりプリントしたときの各寸法を単位ｍｍで示している。なお、図４では、プリント写真のサイズを、８９ｍｍ×１２７ｍｍ（縦横比略３：４）としている。
【００３２】
図４に示したように、内接プリント方式で穿孔用の余白１６ａ以外の余白１６ｂ〜１６ｄをなくせないのは、縦横比３：４のプリント写真に、縦横比２：３の画像を欠けがないように最大限でプリントする「２例」の場合である。これは、プリント写真と異なる縦横比の画像を、画像の縦横比を保持してプリントするためであり、よって、この場合には、図５に示すように、最大画像記録エリア１５に余白１６ｂ〜１６ｄ（上・下・右側余白）が生じないようにプリントする「外接プリント方式」を採用すればよい。この方式は、元画像の上端と下端とが最大画像記録エリア１５の上端と下端とに一致する倍率で元画像を記録する方式である。さらに、図６に示すように、穿孔を行うための左側の余白１６ａに対向する右側余白１６ｄを、横方向（綴じ孔の列方向に直交する方向）の長さの異なる余白となるように画像を記録するのも、プリント写真１２の天地を間違えて穿孔することを防ぐことができるため、好適である。
【００３３】
また、左側の余白１６ａのうちの穿孔により取り除かれる部位に、製品ロット番号や穿孔サービス用のマークなどのプリント情報や写真アルバム情報をプリンタで記録することが可能である。穿孔後には、これら番号やマークが取り除かれるので問題はない。また、穿孔サービスマークは、顧客が写真アルバム１０を注文した場合に記録される。このようにしておくと、万一バインドするときに穿孔されてなくても、そのミスを簡便に見つけることができる。このようなマークを穿孔範囲に付与する構成を、穿孔装置やバインド機構を有するプリンタに用いると、マークを検出することで自動的に集積して自動的に穿孔することができるため、効果的である。
【００３４】
プリンタ２２としては、レーザー光を用いて印画紙に記録するレーザプリンタが一般的である。レーザプリンタでは、現像済みフイルムの場合、各コマの画像を順にスキャナで読み取り、読み取った画像をメモリに記憶してゆき、プリント時にメモリから画像を読み出し、読み出した画像に基づいてレーザー光を主走査方向に振って印画紙に照射することで１ラインずつ露光して記録が行われる。この場合、メモリに記憶した複数の画像を拡大や縮小して最大画像記録エリア１５に配するレイアウト処理を行った後にそれを一つの画像として記録するマルチプリントも行うことができる。この場合、画像を取り込むエリアを予め決めたテンプレートを利用することもできる。また、１件分の画像を一枚のプリント写真に記録したインデックスプリント写真を表紙１１の次ページに綴じてもよい。
【００３５】
なお、このようなレイアウト処理のときに穿孔するための余白１６ａを、例えば白色として画像領域に含めることができるが、余白１６ａも含めた画像にすると、プリント時の色補正処理のときに余白１６ａを含めた画像領域に対して補正が行われるため、正しい色管理を行うことができないおそれがある。このため、余白１６ａは画像として記録しない方が望ましい。
【００３６】
穿孔装置２４としては、プリント写真１２の最大サイズに応じた個数のパンチが一定ピッチで並んだものを使用する。この場合、最小サイズのプリント写真１２に穿孔すると、パンチのピッチによっては左側余白１６ａの上・下端に一部が欠けた、よけいな孔が開くおそれがある。このため、使用するプリント写真１２のうちの穿孔する列方向に沿う長さに応じて不必要なパンチを不作動にすることができる穿孔装置を用いるのが好適である。例えば、不必要なパンチを除去することができる構造ものを利用するのが望ましい。
【実施例１】
【００３７】
写真アルバム１０は、綴じ孔１８の穿孔位置やバインダ１４のリング径により各頁のめくりがやり難いことがある。また、ツインリング方式のバインダ１４の場合には、閉めすぎにより前述した不都合が起こりやすい。このため、スムーズにページをめくることができるように、綴じ孔１８の位置、写真アルバム１０の形状、及び、締め付け後のバインダ１４のリング内径との関係を調べた。
【００３８】
【表２】
2006015615.tif 000004
【００３９】
表２では、写真アルバムとして８個の試料を用意した。各試料は、Ｌサイズのプリント写真１２を複数枚と、これの表裏に表紙１１、及び裏紙１３を重ねた構成としている。各試料に対して、図７及び図８に示すように、写真アルバム１０の厚み（２Ｔ）、バインダ１４のリング１４ｃの内径（２Ｒ）、プリント写真１２の綴じ側左端の一辺１２ａから綴じ孔１８までの長さ（Ｅ）をいろいろ変えて、ページめくりがスムーズか否かの評価を行った。評価の結果は試料２〜８が満足できる寸法であることが分かった。なお、表２には負の数値が記載されている。数値が負でも表紙１１や裏紙１３及びプリント写真１２に弾性があって滑っていくから問題はない。
【００４０】
表２の結果から分かることは、写真アルバム１０としての開き易さとして、以下に示す［数１］の関係式を満足する必要があることが分かった。
【００４１】
［数１］
Ｒ−Ｅ＞０  （単位：ｍｍ）
【００４２】
ここで［数１］で説明した記号Ｅは、プリント写真１２の左端の一辺１２ａから綴じ孔１８までの長さ、［Ｒ］はバインダ１４のリング１４ｃの内周の半径である。
【００４３】
［数１］を満足すれば、写真アルバム１０を１８０度開いたときに綴じ孔１８を設けた左端の一辺１２ａ同士の間に余裕の隙間が生じるため、ページの開き易さが確実なものになる。
【００４４】
ところが、前述した隙間が大きすぎると、すなわちバインダ１４のリング１４ｃの締め付けが緩すぎると、逆に表紙１１、裏紙１３やプリント写真１２がバラバラになる感じがして製本としての品質が得られない。また、図８に示すように写真アルバム１０の総厚み２Ｔを知ることで、ページめくりをスムーズに行うことができることがわかった。これは、図９に示すように、水平に載置した写真アルバム１０から直角方向にページをめくったときにこれらの間に生じる隙間Ｇを管理することで達成することできる。そこで、以下に示す［数２］の式を満足するのが好ましいことが分かった。
【００４５】
［数２］
４Ｌ／１００＞２（Ｒ−E)＞L／１００  （単位：ｍｍ）
及び
４Ｌ／１００＞2Ｒ−２Ｔ−E＞０  （単位：ｍｍ）
【００４６】
ここで［数２］で説明した記号Ｌは、プリント写真１２のうちの縦長さ（角孔列の方向の長さ）である。例えば、Ｌ＝１００ｍｍの場合には、［２（Ｒ−Ｔ）］は１ｍｍを越え４ｍｍより以下が好適である。
【００４７】
［数２］の条件式を満足するように写真アルバム１０を作成する場合には、リング１４ｃの内径２Ｒと、写真アルバム１０の縦長さＬとに対して、穿孔時に［数２］の式を満たす長さＥ（左端の一辺１２ａから綴じ孔１８までの長さ）を決める。穿孔装置２４には、写真アルバムを位置決めするストッパがある。ストッパは、横方向の位置決め用ストッパと、奥行き方向用のストッパとが設けられている。これらストッパは、写真アルバム１０のサイズに応じて調整が可能となっている。奥行き用ストッパは、写真アルバム１０の背、すなわち左端の一辺１２ａを当接させて、左端の一辺１２ａから綴じ孔１８まで長さを決める。横方向の位置決め用ストッパは、左端の一辺１２ａに対する両端の位置決めを行う。これらストッパのうちの奥行き用ストッパを調整して、リング１４ｃの内径２Ｒと、写真アルバム１０の縦長さＬとに対して［数２］の式を満たす長さＥとなるように調整すればよい。
【００４８】
また、写真アルバム１０を作成する場合には、リング１４ｃの内径２Ｒと、写真アルバム１０の厚み２Ｔとに対して、穿孔時に［数２］の式を満たす長さＥを決め、この値が得られるように穿孔装置２４の奥行き用のストッパを調整するのが好ましい。
【図面の簡単な説明】
【００４９】
【図１】本発明の写真アルバムを示す分解斜視図である。
【図２】写真アルバムを作成する手順を示す説明図である。
【図３】写真アルバムを飾るラックを示す斜視図である。
【図４】印画紙に対して元画像の縦横比を保持して画像の欠けがないように画像を記録する内接プリント方式により画像を記録したプリント写真の４例を示す説明図である。
【図５】印画紙に対して綴じ孔用以外の余白がないように画像を記録する外接プリント方式により画像を記録したプリント写真を示す説明図である。
【図６】印画紙に対して綴じ孔用の左側余白とそれに対向する右側余白とを横方向の長さが異なるようにプリントをする方式で画像を記録したプリント写真を示す説明図である。
【図７】プリント写真の縦方向の長さ、綴じ孔の横方向の長さ、及びプリント写真の左端と綴じ孔との間の長さを示す説明図である。
【図８】バインダのリングの内径、及び写真アルバムの厚みを示す説明図である。
【図９】数３で説明した記号を示す説明図である。
【符号の説明】
【００５０】
１０  写真アルバム
１１  表紙
１２  プリント写真
１３  裏紙
１４  バインダ
１５  最大画像記録エリア
１６  余白
１８  綴じ孔
【図１】
2006015615.tif 000005
【図２】
2006015615.tif 000006
【図３】
2006015615.tif 000007
【図４】
2006015615.tif 000008
【図５】
2006015615.tif 000009
【図６】
2006015615.tif 000010
【図７】
2006015615.tif 000011
【図８】
2006015615.tif 000012
【図９】
2006015615.tif 000013